(57)【特許請求の範囲】
【請求項１】
金属板を折曲して直角四辺形の浅い箱状にした棚板と、金属板を折曲してアングル状にした支柱とを用い、支柱を立てて棚板の四隅のかどを支柱の内側面に当接し、当接部をボルトにより固定して組み立てる金属製棚において、棚板に接する支柱の内側面に多角形の突出部を設け、支柱に接する棚板の側面に上記突出部を挿入できる切欠を設け、棚の組み立て時に、棚板の切欠内に支柱の突出部を挿入し、切欠の上側縁を突出部の上側縁に密接させるとともに、切欠の上側縁の両側に位置して下方に延びる２つの垂下縁を突出部の下方に延びる２つの降下縁に密接させて棚板のかどを支柱の内側面に当接することを特徴とする、金属製棚。
【請求項２】
金属板を折曲して直角四辺形の浅い箱状にした棚板と、金属板を折曲してアングル状にした支柱とを用い、支柱を立てて棚板の四隅のかどを支柱の内側面に当接し、当接部をボルトにより固定して組み立てる金属製棚において、棚板に接する支柱の内側面に多角形の突出部を設け、支柱に接する棚板の側面に上記突出部を挿入できる切欠を設け、棚の組み立て時に、棚板の切欠内に支柱の突出部を挿入し、切欠の上側縁を突出部の上側縁に密接させるとともに、切欠の上側縁の両側に位置して下方に延びる２つの垂下縁を、突出部の下方に延びる２つの降下縁に密接させて、棚板のかどを支柱の内側面に当接して棚とし、各支柱の下方にキャスターを付設することを特徴とする、金属製ワゴン。
【請求項３】
前記切欠の上側縁と突出部の上側縁との密接が、上側縁の実質的全長にわたって行なわれていることを特徴とする、請求項１に記載の金属製棚又は請求項２に記載の金属製ワゴン。
【請求項４】
前記突出部が支柱の一部を押し出し又は切り起こすことによって形成されていることを特徴とする、請求項１に記載の金属製棚又は請求項２に記載の金属製ワゴン。
【請求項５】
前記突出部が支柱に金属板小片を付設することによって形成されていることを特徴とする、請求項１に記載の金属製棚又は請求項２に記載の金属製ワゴン。
【請求項６】
前記金属板小片が１つの直線状折れ線に沿って折れ曲げられて２つの半部が直交しているものであって、その折れ線をアングル状支柱の折れ目に合わせて付設されていることを特徴とする、請求項５に記載の金属製棚又は金属製ワゴン。
【請求項７】
前記金属板小片が直角四辺形の板からなり、その１つの縁が支柱の長手方向に垂直に延び、他の１つの縁が支柱の長手方向に平行に延びており、他方、棚板の切欠は切欠の縁が棚面に平行又は垂直に延びていることを特徴とする、請求項５又は６に記載の金属製棚又は金属製ワゴン。
【請求項８】
前記金属板小片が六角形の板からなり、六角形板の上側縁が支柱の長手方向に垂直に延び、これに隣接する両側の縁がくの字状を呈して降下しており、他方、棚板の切欠は上側縁が棚面に平行に延び、これに隣接する両側の縁がくの字状を呈して金属板のくの字状縁に密接する形状となっていることを特徴とする、請求項５又は６に記載の金属製棚又は金属製ワゴン。
【請求項９】
前記金属板小片が八角形の板からなり、八角形の上側縁が支柱の長手方向に垂直に延び、その両側に位置する他の２つの縁が支柱の長手方向に延びており、他方、棚板の切欠は、上側縁が棚面に平行に延び、その両側に位置する２つの縁が棚面に垂直に延びて金属板の上記２つの縁にそれぞれ密接する形状にされていることを特徴とする、請求項５又は６に記載の金属製棚又は金属製ワゴン。                                                                                
【発明の詳細な説明】
【技術分野】
【０００１】
この発明は、金属製棚及び金属製ワゴンに関するものである。とくに、この発明は組み立てと分解が容易で、簡単な操作により支柱が棚板に対し傾くのを容易に防ぐことができる金属製棚及び金属製ワゴンに関するものである。
【背景技術】
【０００２】
金属製棚は、一般にスチール棚と云われているものである。この棚は金属板を折曲して支柱と棚板とを作り、これを組み立てて棚としたものである。金属製ワゴンはスチールワゴンと云われているもので、上記金属製棚を構成している支柱の下方にキャスターを付設して、金属製棚を移動できるようにしたものである。
金属製棚及び金属製ワゴンとしては色々な構造のものが提案されている。その多くは、金属板を折曲して浅い箱状にしたものを棚板として用い、金属板をアングル状に折曲したものを支柱に用いている。
【０００３】
詳しく云えば、上記の棚板は金属板を折曲して、平底とこれから起立する４箇の側壁とを形成し、全体として直角四辺形の浅い箱状にしたものである。その棚板の中には、側壁の先端がわの半部を内側又は外側へ折り返して、折り返し部を側壁と平行に延ばして側壁を恰も二重にしたような構造のものも用いられている。従って、棚板では４箇の側壁又は折り返し部の外面が、棚板の側面を形成することになっている。他方、支柱は金属板をアングル状に折曲した長尺体で構成されている。その支柱の中には、横断面が単純にＬ形とされただけのもののほか、Ｌの両端にさらに内側へ突出する縁片が付設されて両側に内向きの小さな溝が形成されたものや、Ｌの折れ目に沿って狭い幅の斜面が形成されたものもある。この発明で用いられる棚板と支柱は、このようなものを含んでいる。
【０００４】
上述のような棚板と支柱とを組み合わせて棚とするには、支柱を立てて棚板の四隅のかどを支柱の内側面に当接し、当接部をボルトで固定することが行われている。この場合、棚への組み立てを容易にし、また棚へ物品を載せ易くするために、支柱は幅の狭いものが用いられ、棚板は側壁の低いものが用いられている。従って、棚板と支柱との接触面積は小さいものとなり、この接触面を少数のボルトで結合せざるを得なくなっている。その結果、棚板と支柱との結合はぐらつき易く、従って、支柱が棚板に対して傾き易くなっている。そのため、組み立てた棚は捩れ易いものとなる。この問題を解決しようとして、これまで支柱と棚板との固定に種々の工夫がなされた。
【０００５】
特許第３４３７９８８号公報は、箱状棚板の側壁の外面上で、棚板のかどから少し離れたところに金属板の小片を付設し、その小片の縁が支柱の側面に当接するようにして、支柱が棚板に対して傾くのを防止する手段を開示している。この手段によれば、金属板小片の縁が支柱の両側縁を挟むことになるため、棚板に対して支柱が傾くことを防止できる。ところが、この手段は組み立ての初めに、棚板を支柱に一時的に係止する手段を欠くために、棚板が支柱表面で滑り易く、従って、組み立てが容易でない、という問題を生じている。
【０００６】
実用新案登録第３０８５４７５号公報は、アングル状の支柱に内側へ突出する係止突起を設けるとともに、棚板のかど部に係止孔を設けておき、係止突起を係止孔に挿入して、棚板を支柱に係止することを提案している。しかし、この提案は係止突起の具体例として、支柱にその長手方向に垂直に延びる２本の平行な切れ目を設け、切れ目の中間部を押し出して山形の係止突起を作ることを開示しているに過ぎない。これでは、係止突起が棚板の落下を防ぐ働きをするに過ぎない。云いかえると、この係止突起は棚板に対して支柱が
傾くのを防ぐことができない。
【０００７】
特許第４４７３０９５号公報は、上記特許第３４３７９８８号公報と同様に支柱が棚板に対して傾かないようにする手段を記載している。その手段は、棚板の側壁のかど部を切欠し、切欠によって生じた側壁側面を支柱の側面に当接して、支柱が棚板に対して傾くことを防ぐ、というものである。この手段も組み立ての初めに棚板のかど部を支柱に係止する手段を欠いているために、棚板が支柱表面で滑り易く、従って組み立てが容易でない。
【０００８】
特開２００８−３６１１７号及び特開２００８−３６１１８号公報は、何れも棚板のかど部を支柱の任意の位置で固定する手段を記載している。しかし、その固定手段は支柱としてスリット状開口を持った中空状の複雑な支柱を用い、これに雌ねじ片を装入し、棚板のかどにはコーナー止着片を付設して、コーナー止着片から雌ねじ片へボルトを通して固定する、というものである。この手段では、雌ねじ片とコーナー止着片との２つの補助具が必要とされるので、複雑であって支柱への棚板の固定は容易でない。
このように、これまでは組み立ての初めに棚板を支柱に係止させることが困難であったり、また簡単な操作で棚板に対して支柱が傾くのを確実に防ぐことができない、という問題があった。
【先行技術文献】
【特許文献】
【０００９】
【特許文献１】特許第３４３７９８８号公報
【特許文献２】実用新案登録第３０８５４７５号公報
【特許文献３】特許第４４７３０９５号公報
【特許文献４】特開２００８−３６１１７号公報
【特許文献５】特開２００８−３６１１８号公報
【発明の概要】
【発明が解決しようとする課題】
【００１０】
この発明は、上記の問題を解決しようとしてなされたものである。すなわち、この発明は組み立ての初めに棚板のかど部を支柱に容易に係止させることができて、そのままボルトで固定するだけで支柱が棚板に対して傾かないようにすることができる金属製棚を提供するものである。また、この発明は上記金属製棚の支柱の下方にさらにキャスターを付設して金属製棚を移動できるようにして作られた金属製ワゴンを提供するものである。
【課題を解決するための手段】
【００１１】
この発明はその要点を実施の一例に基づいて平易に説明すると次のとおりである。まず図１に示したように、支柱Ｂがわではその内側面に、直角四辺形の金属板小片を固定して直角四辺形の突出部１を設け、上側縁１１、１１１を支柱の長手方向に垂直に向け、降下縁１３、１３１を支柱の長手方向に平行に向けておく。他方、棚板Ａがわでは支柱に接する側面に側面の端から棚面に平行な２本の切目とその切れ目の奥にその切れ目に垂直な切目を入れて、上記金属板小片をすなわち突出部１を丁度挿入することができる直角四辺形の切欠２を設けておく。
【００１２】
組み立て時には、支柱Ｂを立てておき、棚板Ａをほぼ水平に保持して支柱Ｂに近づけ、初め棚板Ａの１つの側壁２１を支柱Ｂの内側面に接触させながら、棚板Ａを矢印Ｅ方向に進行させて、側壁２１がわの切欠２内に突出部１を挿入する。すると、棚板Ａは、切欠２の上側縁２２が突出部１の上側縁１１の上に乗って支えられるために支柱Ｂに係止される。
この状態で棚板Ａをさらに矢印Ｅ方向に移動させると、側壁２１１がわの切欠２内に突出部１が挿入され、切欠２の上側縁２２と２２１とがそれぞれ突出部１の上側縁１１と１
１１とに密接するに至る。それと同時に、切欠２の垂下縁２４と２４１とがそれぞれ突出部１の降下縁１３と１３１とに密接するに至る。従って、突出部１は上側縁１１と１１１とをそれぞれ切欠２の上側縁２２と２２１とに密接させるとともに、その上側縁の両側にある降下縁１３と１３１とをそれぞれ切欠２の垂下縁２４と２４１とに密接させている状態になる。
【００１３】
こうして、突出部１は互いに垂直に交わる３つの方向の縁で密接する状態で切欠２内に挿入されているから、突出部は切欠内で動き得ない状態となる。従って、棚板Ａは支柱Ｂに対して動き得ない状態で係止される。このようにして、棚板Ａを支柱Ｂに強固に接続することがこの発明の骨子である。
【００１４】
一般に、金属板を重ね合わせるとき、重ね合わせ位置を決めるのに、ダボを付けることが行われている。すなわち、一方の板に突起を設け、他方の板に窪みを設け、突起を窪みに陥入させて、板を係止させることが行われている。しかし、ダボは小さなものが多く、その形も正確に定まっていない。従って、上述のように直角四辺形の突出部を設け、その縁を直線状にしたり、その直線の向く方向を定めたり、縁の相当な長さにわたって密接させたりすることはダボとは全く異なっている。
【００１５】
上に述べた例では金属板小片を別に用意し、これを支柱の内側面に溶接などにより固定することとしたが、金属板小片は別に用意しなくてもよい。この発明で必要なのは、金属板小片によって作られた突出部の縁であるから、突出部は支柱の一部を押し出すことによって作ることもでき、また支柱の一部を切り起こすことによっても設けることができる。
【００１６】
また、金属板小片が上述のように直角四辺形である場合には、金属板小片によって作られた突出部のうち、必要なのは上述のように上側縁とその両側に位置する降下縁１３と１３１との３つの縁であって、残りの下側縁はどのような形であってもよく、例えば折曲された２つの縁であってもよい。その理由は棚板を支柱に付設すると、棚板は自重によって降下するから、切欠の上側縁が突出部の上側縁に当接して支えられるので、下側縁は密着しなくてよいことになるからである。むしろ、下側縁同士は密着しない方が突出部を切欠内に嵌め込み易いので好ましい。但し、棚板をひっくり返して、支柱に固定して使用することもできる構造にする場合は、棚板の下側縁が支柱突出部の上側縁に密接できる形状にしておくことが必要である。また、金属板小片と切欠とは、棚板の１つのかどにただ１つとは限らず、２つ以上に分けて設けてもよい。
【００１７】
これまでの説明では、突出部の形状を直角四辺形として来たが、突出部の形状は直角四辺形に限らない。突出部の形状は六角形、八角形などの多角形とすることができる。六角形、八角形などの場合には、正六角形、正八角形を基準にして、そのうちの１つの辺の延びる方向に正六角形又は正八角形を引き延ばした形状にすることが好ましい。この場合には、引き延ばした方向を支柱の長手方向に向けて支柱に付設することが好ましい。すなわち、支柱の長手方向に延びる多角形の縁が支柱の幅方向に延びる縁より長いことが好ましい。
【００１８】
こうして、この発明は金属板を折曲して直角四辺形の浅い箱状にした棚板と、金属板を折曲してアングル状にした支柱とを用いて、支柱を立てて棚板の四隅のかどを支柱の内側面に当接し、当接部をボルトにより固定して組み立てる金属製棚において、棚板に接する支柱の内側面に多角形の突出部を設け、支柱に接する棚板の側面に上記突出部を挿入できる切欠を設け、棚の組み立て時に、棚板の切欠内に支柱の突出部を挿入し、切欠の上側縁を突出部の上側縁に密接させるとともに、切欠の上側縁の両側に位置して下方に延びる２つの垂下縁を突出部の下方に延びる２つの降下縁に密接させて、棚板のかどを支柱の内側面に当接することを特徴とする、金属製棚を提供するものである。
【００１９】
また、この発明は上記金属製棚において支柱の下方にさらにキャスターを付設し、金属製棚を移動容易にしてなる金属製ワゴンを提供するものである。その金属製ワゴンは、金属板を折曲して直角四辺形の浅い箱状にした棚板と、金属板を折曲してアングル状にした支柱とを用い、支柱を立てて棚板の四隅のかどを支柱の内側面に当接し、当接部をボルトにより固定して組み立てる金属製棚において、棚板に接する支柱の内側面に多角形の突出部を設け、支柱に接する棚板の側面に上記突出部を挿入できる切欠を設け、棚の組み立て時に棚板の切欠内に支柱の突出部を挿入し、切欠の上側縁を突出部の上側縁に密接させるとともに、切欠の上側縁の両側に位置して下方に延びる２つの垂下縁を、突出部の下方に延びる２つの降下縁に密接させて、棚板のかどを支柱の内側面に当接して金属製棚とし、各支柱の下方にキャスターを付設することを特徴とするものである。
【発明の効果】
【００２０】
この発明によれば、棚板に接する支柱の内側面に多角形の突出部を設け、支柱に接する棚板の側面に突出部を挿入できる切欠を設けたので、組み立ての初めには突出部を切欠内に挿入するだけで棚板を支柱に係止することができる。
【００２１】
切欠の形状は棚の組み立て時に切欠の上方に位置する上側縁が、突出部の上方に位置する上側縁に密接し、且つ切欠の上側縁の両側に位置して下方に延びる２つの垂下縁が、突出部の下方に延びる２つの降下縁に密接する形状にしておくことにより、切欠内に突出部を挿入したときは、突出部の上側縁とその両側に位置する２つの降下縁が、それぞれ切欠の上側縁と降下縁とに密接できるようにする。そのため突出部を切欠内に挿入すると、突出部は切欠内で横方向に全く移動できない状態となる。従って、突出部を切欠内に挿入しただけで、支柱は棚板に対して傾くことがなくなる。この状態で支柱と棚板との当接部をボルトで固定すれば組み立てが完了するから、組み立ては容易であり、組み立てた棚は捩れ難いものとなる。
【００２２】
従って、この発明によれば、突出部を切欠内に入れ、あとはボルトで固定するだけで簡単に支柱が棚板に対して傾くことがないようにすることができる。これが、この発明の最大の効果である。
なお、支柱がわに金属板小片を固定して突出部を設けた場合には、突出部も切欠も棚の外側に全く現われないから、棚の外観が良好である。
【図面の簡単な説明】
【００２３】
【図１】この発明に係る金属製棚の一部切欠分解斜視図であって、支柱と棚板の当接部を分解して示している。
【図２】この発明に係る金属製ワゴンの斜視図である。
【図３】この発明に係る他の金属製棚の支柱と棚板の当接部を分解して示した斜視図である。
【図４】この発明で用いることのできる他の支柱の一部切欠斜視図である。
【図５】この発明で用いることのできる別の支柱と棚板の一部切欠分解斜視図である。
【図６】この発明で用いることのできるさらに別の支柱と棚板の一部切欠分解斜視図である。
【図７】この発明で用いることのできる他の支柱の一部切欠斜視図である。
【図８】この発明で用いることのできるさらに他の支柱の一部切欠斜視図である。
【図９】この発明で用いることのできるさらに別の支柱の一部切欠斜視図である。
【図１０】この発明により組み立てられる別の金属製棚の一部切欠斜視図である。
【発明を実施するための形態】
【００２４】
既に述べたように、図１はこの発明の一つの実施態様を示している。図１では、支柱Ｂの内側面に金属板小片が溶接されて突出部１が形成されている。その金属板小片は、直角四辺形の金属板を１つの辺に平行な中央線に沿って直角に折り曲げて、断面をＬ形としたものである。金属板小片はその折り目を支柱の折り目に合わせて、支柱の内側面に密接した状態で溶接されている。
【００２５】
突出部１は、Ｌ字形に折曲された上側縁１１と１１１とを形成するとともに、上側縁の両側にこれから垂下する降下縁１３と１３１とを形成している。上側縁１１と１１１とは支柱の長手方向に垂直に延び、２つの降下縁１３と１３１とは支柱の長手方向に平行に延びている。
支柱の長手方向に垂直な突出部の上側縁１１又は１１１の長さＬは、支柱Ｂの幅Ｗの９５〜５％とすることができるが、そのうちでも好ましいのは８０〜１０％であり、とくに好ましいのは７０〜２０％の範囲内である。
【００２６】
他方、棚板Ａは、支柱Ｂに接する側面に切欠２が付設されている。切欠２は、１つの側壁２１のかどから棚面に平行に２つの切れ目を入れ、さらに切れ目の奥で棚面に垂直に切れ目を入れ、切れ目に囲まれた直角四辺形の部分を切り取って作られている。切れ目の縁は直角四辺形の縁となっている。こうして、切欠２には上側縁２２と垂直縁２４と下側縁２３とが形成されている。
【００２７】
同様に、側壁２１に隣接する側壁２１１にもかどから切れ目を入れて切欠を作り、上側縁２２１と垂直縁２４１と下側縁２３１とが形成されている。側壁２１に付設された切欠と側壁２１１に付設された切欠とは対称であることが好ましい。こうして形成された２つの切欠２が合わさって、突出部１を挿入できる切欠となっている。切欠２の上側縁２２及び２２１は棚面に平行に延び、その両側に位置する垂直縁２４と２４１とは棚面に垂直に延びている。
【００２８】
切欠２の垂直縁の長さ、例えば垂直縁２４１の長さＭは、棚板Ａの側壁の高さＮの９５〜５％とすることができるが、好ましいのは８０〜２０％であり、さらに好ましいのは７０〜３０％であり、最も好ましいのは６０〜４０％の範囲内である。
【００２９】
この場合、突出部１の上側縁１１の長さを切欠２の上側縁２２の長さに等しくし、また上側縁１１１の長さを切欠２の上側縁２２１に等しくしておく。すると、突出部１は切欠２内に丁度挿入できるものとなる。そこで、前述のように、側壁２１を支柱Ｂの内側面に沿わせて、棚板Ａを矢印Ｅの方向に進行させて側壁２１がわの上側縁２２を支柱Ｂがわの上側縁１１上に乗せて仮に係止させ、さらに棚板Ａを矢印Ｅ方向に進行させて突出部１を切欠２内に挿入する。すると突出部１は切欠２内に完全に嵌まり込み、棚板Ａは支柱Ｂに係止される。あとはボルト孔３内にボルトＣをねじ込むだけで、棚板Ａと支柱Ｂとを固定して棚とすることができる。
【００３０】
この場合、突出部１の下側縁は切欠２の下側縁２３及び２３１に密接していてもよいが、密接していない方がよい。密接していない方が突出部を切欠内に挿入し易いからである。
こうして、組み立てられた棚は、切欠２の上側縁２２と２２１とがそれぞれ突出部１の上側縁１１と１１１との実質的全長にわたって密接した状態で固定されているから、棚板Ａは落下することが防がれる。それと同時に、突出部１の降下縁１３と１３１とが、それぞれ切欠２の垂直縁２４と２４１とに相当な長さにわたって密接しているから、突出部１は切欠内で微動さえできない状態で固定されている。従って、支柱Ｂは棚板Ａに対して傾くことができない状態となる。こうして、棚板Ａと支柱Ｂとは突出部１と切欠２との嵌め合わせによって簡単に強固に固定され、支柱は棚板に対して傾き得ない状態になっている
。この発明に係る金属製棚はこうして組み立てられ、捩れ難いものとなる。
【００３１】
こうして組み立てられた金属製棚の各支柱の下方にキャスターを付設して棚を移動可能としたものが、この発明に係る金属製ワゴンである。
図２は、この発明に係る金属製ワゴンを示している。図２において、Ａは金属板を折曲して直角四辺形の浅い箱状にされた棚板であり、Ｂは金属板を断面Ｌ字状に折曲して作られた支柱であり、Ｃは棚板Ａを支柱Ｂに固定しているボルトであり、Ｄは支柱Ｂの下方に付設されたキャスターである。図１に示された金属製ワゴンは、棚板Ａの四隅のかど部を４本の支柱Ｂの内側面に当接し、その各当接部をそれぞれ１箇のボルトＣにより固定して３枚の棚板Ａを４本の支柱Ｂの間にさしわたして金属製棚とし、さらに各支柱Ｂの下方にキャスターＤを付設して作られている。
【００３２】
図３では、支柱ＢのＬ型に連結された各半部に突出部が分かれて付設されている。また、それらの突出部は何れも支柱の一部を押し出すことによって形成されている。それら突出部の上側縁１０１と１１１とは支柱Ｂの同じ高さのところに位置して、何れも支柱の長手方向に垂直に延びている。上側縁１０１と１１１の端には降下縁１３と１３１とが形成されているが、この降下縁は何れも支柱の長手方向に平行に延びている。これらのことは、図１のものと同様である。
【００３３】
図３の棚板Ａでは、側壁の先の半部が内側へ折り返されて側壁が二重にされ、棚板が撓み難いものとされている。棚板側面の支柱に当接する部分では、このような折り返しが欠落されている。
図３に示した棚板Ａの１つの側壁２１では、支柱Ｂへの当接部に図１の側壁２１と全く同様な切欠２が形成されている。そこでは、上側縁２２と下側縁２３とが棚面に平行に延び、垂直縁２４が棚面に垂直に延びている。側壁２１の端から垂直縁２４までの距離Ｒは、突出部の降下縁１３から折曲線までの距離Ｐに等しくされている。
【００３４】
棚板Ａのもう１つの側壁２１１では、切欠２の端が閉じられて切欠２は直角四辺形の穴の形にされている。切欠は、このような形であってもよい。側壁２１１がわの上側縁２２１は側壁２１の上側縁２２と同じ高さに位置して棚面と平行に延びている。切欠２の垂直縁２４１は棚面に垂直に延びて、側壁の端からの距離Ｓが支柱Ｂの折れ目から突出部の降下縁１３１までの距離Ｑに等しくされている。
また、この場合、２つの切欠２はそれぞれ突出部１０と１００とを挿入できる大きさとされている。
【００３５】
図３に示した棚板Ａは、図１に示した棚板Ａと同様に、まず側壁２１を支柱Ｂの内側面に接触させ、矢印Ｅの方向に進めて側壁２１がわの切欠２内に支柱Ｂの突出部１０を挿入する。すると、棚板Ａは切欠の上側縁２２が、突出部１０の上縁１０１に支持されるので支柱に一時的に係止される。その後さらに棚板Ａを矢印Ｅに沿って進めると、側壁２１１がわの切欠２内に支柱Ｂの突出部１００が挿入される。このとき距離Ｐは距離Ｒに等しくされ、距離Ｓは距離Ｑに等しくされているから、棚板Ａの垂直縁２４と２４１とはそれぞれ突出部１０の降下縁１３と突出部１００の降下縁１３１とに密接し、突出部１０と１００とは何れも切欠２内で全くガタのない状態で保持される。その結果、支柱は棚板に対して傾くことができない状態に維持される。
【００３６】
なお、図３において支柱Ｂの下端に設けた水平板４はキャスターを取り付けるための板である。水平板４に設けられた孔４１はキャスター取付用のボルト孔である。
この発明において、支柱がわに設ける突出部は、図１及び図３に示した手段のほかに、図４及び図５に示したように支柱の一部を切り起こすことによって設けることができる。図４では、支柱Ｂの折れ曲がった各半部にコの字状の切れ目を横向きに入れ、切れ目の内
部を僅かに斜めに突出させて突出部１０と１００とを作り、これによって上側縁１１及び１１１、並びに降下縁１３及び１３１を設けている。
【００３７】
図５では、支柱Ｂの各半部に奥行きの小さな２つのコの字状の切れを支柱の長手方向に垂直と平行に入れ、切れ目の内部をほぼ垂直に起立させて各半部に互いに直交する上側縁１１と降下縁１０、並びに上側縁１１１と降下縁１００とを形成している。突出部はこのようなものであってもよい。
支柱Ｂに図４と５とに示したような突出部を設けたときは、棚板がわに設ける切欠は図１及び図３に示したような形状にすることができるが、また図５に示したように上側縁１１と降下縁１０とに密接する上縁側２２と垂直縁２４とを持った形状にすることができる。また、棚板Ａには突出部の上側縁１１１と降下縁１００とに密接する上側縁２２１と垂直縁２４１とが分離されている切欠を設けることもできる。
【００３８】
支柱Ｂがわに設ける突出部が六角形の場合は、図６に示したように、ほぼ正六角形の板を縦方向に延びる中心軸に沿って直角に折曲して断面を対称のＬ形にするとともに、中心軸方向に引き延ばした形状のものを中心軸を支柱の折曲線に合わせて、支柱内面に溶接することが好ましい。この場合、図６に示したように六角形の上側縁１１と１１１とが支柱の長手方向に垂直に向くように溶接することが好ましいが、図７に示したように、上側縁１１と１１１とが中心軸に対して対称に斜めに延びて、これに隣接する縁が支柱の長手方向に平行になっていてもよい。
【００３９】
突出部が図６に示したように構成されている場合には、支柱の長手方向に延びる突出部の降下縁は「く」の字状に折曲されたものとなる。この場合、棚板Ａに設ける切欠２は、突出部を丁度受け入れて、切欠２の上側縁が突出部の上側縁に密接するとともに、切欠２の棚面に垂直な方向に延びる垂直縁が、「く」の字状に折曲されて、突出部の降下縁に密接する形状とされる。
【００４０】
突出部が六角形の場合には、支柱Ｂは、図６に示した支柱Ｂの代わりに、図８に示したような支柱Ｂを用いることができる。図８では六角形の突出部が、支柱の各半部に中央部が折れ曲がったコの字状の４辺からなる切れ目を入れて、切れ目内を僅かに押し出して作られている。
【００４１】
支柱Ｂがわに設ける突出部が八角形の場合には、図９に示したように、突出部の上側縁１１と１１１を支柱Ｂの長手方向に垂直に延ばし、上側縁に続く斜め縁１５と１５１とを短くし、これに続く降下縁１３と１３１とを長くして支柱の長手方向に平行に延ばし、これに続く斜め縁１６と１６１を斜め縁１５と１５１と同じ長さの短いものとし、下側縁を上側縁と同じ長さとして支柱の長手方向に垂直に延ばすことが好ましい。
【００４２】
突出部は、図９に示したように、上下対称形にしておくことが好ましい。上下対称形にすると、棚板Ａを上下逆にして支柱に設置することができるので、棚板Ａを側壁のある四角皿として使用すると同時に、同じ棚板を側壁が下方に向く天板などとしても使用することができるので好都合である。
【００４３】
また支柱がわに付設する多角形としては、支柱Ｂの長手方向に平行に延びる縁が、支柱Ｂの長手方向に垂直に延びる縁よりも長いものであることが好ましい。すなわち、図１について言えば、降下縁１３と１３１の長さが、上側縁１１と１１１の長さよりも大きいことが好ましい。このようにすると、突出部を切欠内に挿入したとき、切欠内における突出部のガタつきを少なくすることが容易となり、従って、棚板に対する支柱の傾きを確実に防止することができるからである。
【００４４】
棚板Ａが支柱ＢにボルトＣで固定される部分は、図１及び図３に示したもののほか、例えば図１０に示したようにすることができる。図１０では、棚板Ａは側壁の先が側壁の長さ全体にわたって内側へ折り返されて側壁が二重となり、しかも折り返し２５が棚板のかどまで延びている。
【００４５】
もともと、棚板Ａと支柱Ｂとは、図１及び図３に示したようにボルト孔３があけられていて、ここにボルトを通しナットで締めて固定されることになっている。ところが、図１０では、ボルト孔３の上を折り返し２５が覆っているため、ナットを取り付けることができない。そこで折り返し２５にはナットを通すためのナット孔３１があけられる。ナット孔３１はただナットＦを通すだけでなく、ナットＦを回転させ又は固定することが必要なために、充分に余裕を持った大きなものとされる。
【００４６】
大きなナット孔３１をそのまま放置することは見映えが悪いだけでなく、安全を損なうことにもなり兼ねない。そこで、ナット孔３１にはキャップ５を嵌めて孔を塞ぐようにする。キャップ５は円板状の頭と円筒状の脚とが一体にされた構造のもので、円筒状の脚は先ほど僅かに直径が小さくされるとともに、円筒軸に沿って２つ割りにされている。キャップ５は、このような構造に弾性を持った合成樹脂、例えばポリプロピレンで一体に成形されて作られている。そのため、キャップ５は、円筒状脚の弾性によりナット孔３１に係止される。従って、キャップ５の取り付け及び取り外しは容易である。
【００４７】
この発明によれば、支柱に設けた突出部を棚板に設けた切欠内に嵌め、あとはボルトで結合するだけで支柱が棚板に対して傾くことのない堅固な棚を容易に組み立てることができるので、この発明は実用上の価値が大きい。また、こうして組み立てた棚の各支柱の下方にキャスターを付設して、堅固なワゴンとすることができるので、この発明はさらに実用上の価値が大きい。
【符号の説明】
【００４８】
Ａ 棚板
Ｂ 支柱
Ｃ ボルト
Ｄ キャスター
Ｆ ナット
１、１０、１００ 突出部
２ 切欠
３、４１ ボルト孔
４ 水平板
５ キャップ
１１、１０１、１１１ 突出部の上側縁
１２、１２１ 突出部の下側縁
１３、１３１ 突出部の降下縁
２１、２１１ 棚板の側壁
２２、２２１ 切欠の上側縁
２３、２３１ 切欠の下側縁
２４、２４１ 切欠の垂直縁
２５ 折り返し
３１ ナット孔
【図１】
0005515123.tif 000002
【図２】
0005515123.tif 000003
【図３】
0005515123.tif 000004
【図４】
0005515123.tif 000005
【図５】
0005515123.tif 000006
【図６】
0005515123.tif 000007
【図７】
0005515123.tif 000008
【図８】
0005515123.tif 000009
【図９】
0005515123.tif 000010
【図１０】
0005515123.tif 000011